(57)【特許請求の範囲】
【請求項１】
（旧請求項１＋旧請求項２＋旧請求項３）
貫通孔が形成された取付対象壁に、水栓取付用台座を取り付ける構造であって、
前記取付対象壁に形成された貫通孔に前面側から挿入される挿入体と、
前記挿入体の周囲に設けられ、且つ、前記挿入体とともに前面側から前記貫通孔に挿入可能であり、前記挿入体が前記貫通孔に挿入された状態で前記取付対象壁の背面に当接する当接部と、を有し、
前記当接部と前記貫通孔から前面側に臨出する前記挿入体の一部に対し固定される固定部材とで、前記取付対象壁および前記水栓取付用台座を挟持することで、前記水栓取付用台座を前記取付対象壁に対し固定するものであり、
前記挿入体は、前記当接部が前記挿入体とともに前面側から前記貫通孔に挿入可能な第１の状態と、前記挿入体が前記貫通孔に挿入された状態で前記当接部が前記取付対象壁の背面に当接可能な第２の状態とに変形可能に構成されており、
前記第２の状態を維持させる状態維持手段を有し、
前記挿入体は、可撓性を有する筒状体であり、さらに、押圧によって前記挿入体が前記第１の状態に変形可能となるよう、前記挿入体を形成する外壁の一部が切欠かれた切欠部を有しており、
前記状態維持手段は、前記挿入体が前記貫通孔に挿入された状態で前面側から前記切欠部に挿入可能に構成された、前記切欠部を埋める切欠埋部材であることを特徴とする水栓取付用台座の取付構造。
【請求項２】
（旧請求項４）
前記固定部材は、前記切欠埋部材の前記挿入体に対する相対位置が変化しないよう規制することを特徴とする請求項１に記載の水栓取付用台座の取付構造。
【請求項３】
（旧請求項１＋旧請求項２＋旧請求項５）
貫通孔が形成された取付対象壁に、水栓取付用台座を取り付ける構造であって、
前記取付対象壁に形成された貫通孔に前面側から挿入される挿入体と、
前記挿入体の周囲に設けられ、且つ、前記挿入体とともに前面側から前記貫通孔に挿入可能であり、前記挿入体が前記貫通孔に挿入された状態で前記取付対象壁の背面に当接する当接部と、を有し、
前記当接部と前記貫通孔から前面側に臨出する前記挿入体の一部に対し固定される固定部材とで、前記取付対象壁および前記水栓取付用台座を挟持することで、前記水栓取付用台座を前記取付対象壁に対し固定するものであり、
前記挿入体は、前記当接部が前記挿入体とともに前面側から前記貫通孔に挿入可能な第１の状態と、前記挿入体が前記貫通孔に挿入された状態で前記当接部が前記取付対象壁の背面に当接可能な第２の状態とに変形可能に構成されており、
前記第２の状態を維持させる状態維持手段を有し、
前記挿入体は、少なくとも２つの部材を相対的に回動可能に接続して構成され、かつ、前記少なくとも２つの部材を前記相対的に回動させることで前記挿入体を前記第１の状態と前記第２の状態に変形可能となるよう構成されており、前記状態維持手段は、前記固定部材であることを特徴とする水栓取付用台座の取付構造。
【発明の詳細な説明】
【技術分野】
【０００１】
本発明は、水栓取付用台座の取付構造に関する。
【背景技術】
【０００２】
従来から、洗面化粧台等、手洗いや水飲みに使用する水を水槽で受ける水槽付き家具では、その水槽に近接して設けられる立壁を取付対象壁として、当該立壁に水栓を取り付ける構造が広く採用されている。
【０００３】
下記特許文献１には、洗面化粧台において水槽（ボール２）の奥側に立壁（壁面３）が設けられ、その立壁の背面側に給水管を配設する構造が開示されている。給水管の水槽側の端部は、立壁に形成された貫通孔（取付開口９）を挿通して前面側に引き出され、水栓（水栓本体４）と接続される。この水栓は、水栓取付用台座（取付金具１１）を介して立壁部の前面に取り付けられる。すなわち、立壁部の前面に固定された水栓取付用台座に水栓を取り付けることにより、水栓は立壁部の前面に取り付けられる。これにより、水栓と給水管との接続作業と、水栓の立壁部への取付作業を、立壁の前面側で行うことができる。
【先行技術文献】
【特許文献】
【０００４】
【特許文献１】特開平９−１４４０８３号公報
【発明の概要】
【発明が解決しようとする課題】
【０００５】
しかしながら、上記特許文献１記載の取付構造では、複数のネジ（ビス１２）によって水栓取付用台座を立壁の前面に固定しているため、立壁の前面にネジ孔を開設する作業が必要となり、製造コストの増大を招いていた。
【０００６】
また、ネジによる水栓取付用台座の固定強度を確保するため、ネジ孔を貫通孔から離れた位置に設けており、かつ、それらのネジ孔に挿入されたネジを前面から水栓で覆って隠しているため、水栓が大型化してしまう。仮に、カバー等の、水栓とは別個の部材を用いてネジを覆った場合でも、カバー等は大型化してしまうので、これによって意匠性が損なわれるという課題があった。
【０００７】
本発明はこのような課題に鑑みてなされたものであり、その目的は、水栓が取り付けられる水栓取付用台座を、水栓の取付対象壁にネジ孔を開設することなく、取付対象壁の手前側から取り付け可能にする水栓取付用台座の取付構造を提供することにある。
【課題を解決するための手段】
【０００８】
上記課題を解決するために、本発明に係る水栓取付用台座の取付構造は、貫通孔が形成
された取付対象壁に、水栓取付用台座を取り付ける構造であって、前記取付対象壁に形成
された貫通孔に前面側から挿入される挿入体と、前記挿入体の周囲に設けられ、且つ、前
記挿入体とともに前面側から前記貫通孔に挿入可能であり、前記挿入体が前記貫通孔に挿
入された状態で前記取付対象壁の背面に当接する当接部と、を有し、前記当接部と前記貫
通孔から前面側に臨出する前記挿入体の一部に対し固定される固定部材とで、前記取付対
象壁および前記水栓取付用台座を挟持することで、前記水栓取付用台座を前記取付対象壁
に対し固定するものであり、前記挿入体は、前記当接部が前記挿入体とともに前面側から前記貫通孔に挿入可能な第１の状態と、前記挿入体が前記貫通孔に挿入された状態で前記当接部が前記取付対象壁の背面に当接可能な第２の状態とに変形可能に構成されており、
前記第２の状態を維持させる状態維持手段を有し、前記挿入体は、可撓性を有する筒状体であり、さらに、押圧によって前記挿入体が前記第１の状態に変形可能となるよう、前記挿入体を形成する外壁の一部が切欠かれた切欠部を有しており、前記状態維持手段は、前記挿入体が前記貫通孔に挿入された状態で前面側から前記切欠部に挿入可能に構成された、前記切欠部を埋める切欠埋部材であることを特徴とする。
【０００９】
水栓を取付対象壁に取り付けた状態においては、使用者が水栓に不意に力をかけてしまった場合に、水栓の根元に大きな力がかかりやすい。したがって、水栓の根元を支持する支持部材には破損が生じやすい。本発明に係る水栓取付用台座の取付構造は、水栓と水栓を支持する水栓取付用台座を別部材で設けているため、そのように水栓に大きな力がかかり、水栓取付用台座が破損したとしても、水栓取付用台座のみを交換すれば良いため、水栓自体を交換する必要がなく、維持費用を抑えることができる。
【００１０】
また、本発明に係る水栓取付用台座の取付構造は、貫通孔から前面側に臨出する挿入体の一部に対して固定される固定部材と取付対象壁の背面に当接する当接部とで、取付対象壁および水栓取付用台座を挟持することで水栓取付用台座を取付対象壁に固定する。これにより、取付対象壁にネジ孔を開設する作業が不要となり、製造コストの増大を抑制することが可能となる。また、ネジを覆い隠すために水栓を大型化させたり、カバー等の別個の部材を用意したりする必要もないため、意匠性が損なわれることもない。さらに、取付対象壁に所定の大きさの貫通孔を設けておくだけで、使用者の好みに応じて、デザインや機能が異なる別の水栓に交換することも容易となる。
【００１１】
さらに、この好ましい態様では、挿入体は、当接部が挿入体とともに前面側から貫通孔に挿入可能な第１の状態と、挿入体が貫通孔に挿入された状態で当接部が取付対象壁の背面に当接可能な第２の状態とに変形可能に構成されており、また、その第２の状態を維持させる状態維持手段を有する。したがって、水栓取付用台座を取付対象壁に長期に亘って安定的に取り付けることができる。
加えて、この好ましい態様では、挿入体は可撓性を有する筒状体であり、押圧によって挿入体が第１の状態に変形可能となるよう構成されているため、挿入体を貫通孔に前面側から挿入する際に、押圧するとういう簡単な動作で施工者は挿入体を挿入することができる。また、挿入体を形成する外壁の一部が切欠かれた切欠部を、挿入体が貫通孔に挿入された状態で前面側から切欠部に挿入可能に構成された切欠埋部材で埋めることで、第２の状態を維持することができるため、挿入体を小型に抑えることでき、水栓取付用台座の取付作業性をより向上させることができる。
【００１５】
また、本発明に係る水栓取付用台座の取付構造では、前記固定部材は、前記切欠埋部材の前記挿入体に対する相対位置が変化しないよう規制することも好ましい。
【００１６】
この好ましい態様では、挿入体の一部に対して固定される固定部材によって切欠埋部材の挿入体に対する相対位置が変化しないよう規制するため、相対位置を規制するための部材を別途設ける必要がなく、かつ、長期に亘って安定的に第２の状態を維持することができる。
【００１７】
また、本発明に係る水栓取付用台座の取付構造は、貫通孔が形成された取付対象壁に、水栓取付用台座を取り付ける構造であって、前記取付対象壁に形成された貫通孔に前面側から挿入される挿入体と、前記挿入体の周囲に設けられ、且つ、前記挿入体とともに前面側から前記貫通孔に挿入可能であり、前記挿入体が前記貫通孔に挿入された状態で前記取付対象壁の背面に当接する当接部と、を有し、前記当接部と前記貫通孔から前面側に臨出する前記挿入体の一部に対し固定される固定部材とで、前記取付対象壁および前記水栓取付用台座を挟持することで、前記水栓取付用台座を前記取付対象壁に対し固定するものであり、前記挿入体は、前記当接部が前記挿入体とともに前面側から前記貫通孔に挿入可能な第１の状態と、前記挿入体が前記貫通孔に挿入された状態で前記当接部が前記取付対象壁の背面に当接可能な第２の状態とに変形可能に構成されており、前記第２の状態を維持させる状態維持手段を有し、前記挿入体は、少なくとも２つの部材を相対的に回動可能に接続して構成され、かつ、前記少なくとも２つの部材を前記相対的に回動させることで前記挿入体を前記第１の状態と前記第２の状態に変形可能となるよう構成されており、前記状態維持手段は、前記固定部材であることも好ましい。
【００１８】
この好ましい態様では、挿入体は、少なくとも２つの部材を相対的に回動可能に接続して構成され、かつ、少なくとも２つの部材を相対的に回動させることで挿入体を第１の状態と第２の状態に変形可能となるよう構成されている。そのため、確実に挿入体を貫通孔に前面側から挿入することができる。また、挿入体の一部に対して固定される固定部材によって挿入体の第２の状態を維持するため、別途第２の状態を維持するための部材を設ける必要がなく、かつ、長期に亘って安定的に第２の状態を維持することができる。
【発明の効果】
【００２４】
本発明の水栓取付用台座の取付構造によれば、水栓の取付対象壁にネジ孔を開設することなく、水栓が取り付けられる水栓取付用台座を取付対象壁の手前側から取り付けることができる。
【図面の簡単な説明】
【００２５】
【図１】本発明の第１実施形態に係る洗面化粧台の斜視図。
【図２】第１実施形態における吐水スパウト５０および台座７０の立壁１１への取付構造を示すための分解斜視図。
【図３】第１実施形態における切欠埋部材８３で切欠部８０ｃを埋める際の様子を模式的に示す側面図。
【図４】第１実施形態における挿入体８０を貫通孔１３に挿入するときの様子（挿入前の様子）を模式的に示す上面図。
【図５】第１実施形態における挿入体８０を貫通孔１３に挿入するときの様子（挿入後の様子）を模式的に示す上面図。
【図６】第１実施形態における台座７０を立壁１１に対して固定した状態を示す斜視断面図。
【図７】第２実施形態における台座７０の立壁１１への取付構造を示すための分解斜視図。
【図８】第２実施形態における第１の状態の挿入体８５を側方から見た様子を模式的に示す断面図。
【図９】第２実施形態における第２の状態の挿入体８５を側方から見た様子を模式的に示す断面図。
【図１０】第２実施形態における台座７０を立壁１１に対して固定した状態を示す斜視断面図。
【図１１】第３実施形態における台座７０の立壁１１への取付構造を示すための分解斜視図。
【図１２】第３実施形態における挿入体９０の脚部９２を貫通孔１３に挿入する直前の脚部９２の傾斜面９５を貫通孔１３の後方側から見た様子を示す模式図。
【図１３】第３実施形態における挿入体９０の脚部９２を貫通孔１３に挿入し始めたときの様子を模式的に示す側面図。
【図１４】第３実施形態における挿入体９０を立壁１１の貫通孔１３に挿入する際の様子（挿入途中の様子）を示す側断面図。
【図１５】第３実施形態における挿入体９０を立壁１１の貫通孔１３に挿入する際の様子（挿入後の様子）を示す側断面図。
【図１６】第３実施形態における台座７０を立壁１１に対して固定した状態を示す斜視断面図。
【発明を実施するための形態】
【００２６】
以下、添付図面を参照しながら本発明の実施の形態について説明する。説明の理解を容易にするため、各図面において同一の構成要素に対しては可能な限り同一の符号を付して、重複する説明は省略する。
【００２７】
本発明の実施形態である図１を参照して、本発明の第１実施形態に係る洗面化粧台の構成を説明する。図１は、本発明の第１実施形態に係る洗面化粧台の斜視図である。
【００２８】
図１に示すように、洗面化粧台１は、洗面室床Ｆに載置されるとともに、その背面を洗面室壁Ｗに当接させて設置されている。洗面化粧台１は、カウンター１０と、化粧鏡ユニット２０と、キャビネット３０と、水栓６０を備えている。
【００２９】
カウンター１０は、その背面が洗面室壁Ｗに直接又は固定のための金具等を介して間接的に取り付けられており、略垂直な前面を有する立壁１１と、その立壁１１の前面側に設けられる水槽１２を有する。立壁１１と水槽１２は、樹脂材料で一体的に形成されている。水槽１２は椀状に形成され、その内部で水を受けるとともに、その水を貯留することも可能である。水槽１２の下面には、受けた水を下方に排出するための排水口（図示せず）が形成されており、排出された水は、この排水口に接続される排水管（図示せず）によって下水管側に導かれる。
【００３０】
化粧鏡ユニット２０は箱状に形成され、内部に歯ブラシ等を収納可能である。図１に示すように、化粧鏡ユニット２０は立壁１１上に配置されるとともに、背面が洗面室壁Ｗに対し直接又は間接的に取り付けられている。また、その前面には、使用者の姿を映す化粧鏡２１が取り付けられており、その上部には、前方に投光する照明２２を備えている。
【００３１】
キャビネット３０は、カウンター１０の下方に配置されており、左右一対の側板３１Ｌ、３１Ｒと、前面を構成する扉３２を備えている。洗面化粧台１の使用者は、扉３２を開閉することで、前方から内部の収納空間にアプローチし、収納や取り出しを行うことができる。
【００３２】
水栓６０は、カウンター１０の立壁１１に取り付けられ、吐水スパウト（吐水部）５０と湯水混合栓４０を備えている。すなわち、立壁１１が水栓および水栓が取り付けられる後述する台座７０（水栓取付用台座）の取付対象壁となっている。
【００３３】
吐水スパウト５０は、立壁１１の背面のフレキシブルホース（図示せず）に接続されている。また、湯水混合栓４０の前方側には、ハンドルＨが取り付けられる。使用者は、このハンドルＨを操作することで、図示しない給水管および給湯管から湯水混合栓４０に流入する湯と水の流量を変更し、吐水口５１から吐出する湯水の温度や流量を調節することができる。
【００３４】
次に、図２を参照して、水栓６０の取付構造について説明する。特に、図２では、水栓６０の吐水スパウト５０の取付構造について説明する。図２は、吐水スパウト５０の立壁１１への取付構造を示すための分解斜視図である。吐水スパウト５０は、立壁１１に固定される台座７０に取り付けられることで立壁１１に取り付けられる。台座７０は、背壁７１および背壁７１の端部から背壁７１を囲むようにして前方側に延びる周壁７２を有している。なお、背壁７１には、孔７３が設けられており、周壁７２には、ネジ孔７４が左右に一対設けられており、吐水スパウト５０の左右の側壁に設けられた（図示しない）ネジ孔にネジ６１を挿入し、このネジ６１をネジ孔７４に螺合することで水栓６０は台座７０に取り付けられる。
【００３５】
続いて、図２および図３を参照して、台座７０の立壁１１への取付に用いる部材および取付構造について説明する。第１実施形態に係る洗面化粧台は、台座７０を立壁１１に固定するために、挿入体８０、切欠埋部材８３（状態維持手段）、および締付ナット７５（固定部材）を用いる。挿入体８０は筒状に形成された部材であり、その一端側には、外周面にネジ山を設けたネジ山部８１を有する。このネジ山部８１は締付ナット７５の内周面に設けられたネジ山部７６のネジ山と螺合可能に構成されている。
【００３６】
また、挿入体８０の他端側には、外周面から外方に突出する当接部８２が、周方向に所定の間隔をおいて複数設けられている。さらに、挿入体８０の外壁の一部は、図２に示すように、軸方向に切り欠かれている。挿入体８０は、このように切り欠かれた切欠部８０ｃを有している。なお、挿入体８０は、樹脂により形成され、可撓性および弾性を有するように構成されている。したがって、切欠部８０ｃを塞ぐように作業者が挿入体８０を左右両側から中央に向かって押圧することで、挿入体８０は弾性変形するため、挿入体８０の外径を小さくすることができる。
【００３７】
また、挿入体８０の周方向のそれぞれの端面８０ｍ、８０ｎからは、肉薄状の突起８０ａ、８０ｂが互いに近づくように周方向に延びている。この突起８０ａ、８０ｂは、端面８０ｍ、８０ｎの後方側かつ内方側から延びるよう構成されている。
【００３８】
切欠埋部材８３は、切欠部８０ｃを埋めるためのものであって、切欠部８０ｃを埋めることができるよう縦長状に形成されている。切欠埋部材８３は、前側に肉厚な厚肉部８３ａを有しており、後ろ側には、前側の厚肉部８３ａよりも薄い薄肉部８３ｂを有している。また、厚肉部８３ａの外周面には、ネジ山部８３ｃが設けられている。
【００３９】
図３は、切欠埋部材８３で切欠部８０ｃを埋める際の様子を模式的に示す側面図である。切欠埋部材８３で切欠部８０ｃを埋める場合は、図３（ａ）に示すように、切欠埋部材８３を挿入体８０の切欠部８０ｃに前方から差し込むようにして挿入体８０に取り付ける。前方から差し込む際には、切欠埋部材８３の薄肉部８３ｂの下面を挿入体８０の突起８０ａ、８０ｂの上面を摺動させるようにして、切欠埋部材８３を差し込む。この際、図３（ｂ）に示すように、切欠埋部材８３の厚肉部８３ａの後端面８３ａｂが、突起８０ａ、８０ｂの前端面８０ａｆに当接するまで差し込む。これにより、挿入体８０と切欠埋部材８３とによって、外壁に切欠きのない円筒体が形成される。切欠埋部材８３を挿入体８０に取り付けた状態では、挿入体８０のネジ山部８１と、切欠埋部材８３のネジ山部８３ｃが周方向に連続するため、これにより、締付ナット７５のネジ山部７６を、切欠埋部材８３を取り付けた挿入体８０に螺合させることができる。
【００４０】
続いて台座７０の取付手順について説明する。まず、切欠埋部材８３を取り付けていない状態の挿入体８０に対し、切欠部８０ｃを埋めるよう挿入体８０を左右から指で押圧することで、当接部８２が貫通孔１３の周縁の立壁１１に当たらない程度まで挿入体８０の外径を小さくし、挿入体８０を貫通孔１３に挿入する。
【００４１】
図４および図５はこのときの様子を示す模式的に示す上面図である。図４は押圧によって外径が小さくなった挿入前の挿入体８０の様子（特に、当接部８２が貫通孔１３の周縁の立壁１１に当たらない程度まで挿入体８０の外径を小さくしたときの様子）を上方から見た断面図あり、図５は、挿入体８０の挿入後の様子（特に、押圧状態を解除し、弾性変形によって、当接部８２が貫通孔１３の周縁の立壁１１に当たる状態に挿入体８０の外径が復元したときの様子）を上方から見た断面図である。
【００４２】
挿入体８０の挿入時には、図４のように、左右から押圧力を加えて挿入体８０の径を小さくし、当接部８２が挿入体８０とともに前面側から貫通孔１３に挿入可能な第１の状態に変形させる。挿入後は、図５のように、押圧力を作用させるのを止め、弾性力によって外径が大きな状態に復元させ、挿入体８０が貫通孔１３に挿入された状態で当接部８２が立壁１１の背面に当接可能な第２の状態に変形させる。そして、切欠埋部材８３を、挿入体８０の前方側から差し込むようにして挿入体８０に取り付ける。このように切欠埋部材８３を差し込むことにより、挿入体８０に外力が作用した際に、挿入体８０の外径が小さくなってしまうことを防止する。すなわち、切欠埋部材８３は、挿入体８０の第２の状態を維持させる役割を果たす。これにより、挿入体８０は立壁１１から前方側へ外れづらくなり、挿入体８０を立壁１１に長期に亘って安定的に取り付けることができるようになる。また、切欠埋部材８３を挿入体８０の切欠部８０ｃに差し込む構成であるため、挿入体８０を小型に抑えることができ、台座７０の取付作業性をより向上させることができる。
【００４３】
切欠埋部材８３を切欠部８０ｃに取り付けた後は、台座７０の孔７３に、挿入体８０のうち立壁１１より前方に臨出した部分（臨出部Ｒ１）が挿通するようにして、台座７０を立壁１１に当接するまで移動させる。そして、締付ナット７５のネジ山部７６を、周方向に連続した挿入体８０のネジ山部８１および切欠埋部材８３のネジ山部８３ｃに螺合させ、締付ナット７５と当接部８２とで、台座７０の背壁７１および立壁１１を前後から締め付け挟持することで、台座７０を立壁１１に対して固定する。図６は台座７０を立壁１１に対して固定した状態を示す斜視断面図である。第１実施形態に係る台座７０は、上述のようにして立壁１１へ取り付けられる。なお、このとき、締付ナット７５のネジ山部７６は、周方向に連続したネジ山部８１およびネジ山部８３ｃの両者に螺合するため、臨出部Ｒ１に固定されている締付ナット７５により、切欠埋部材８３は前後方向に位置ズレしないように規制される。すなわち、締付ナット７５は、切欠埋部材８３の挿入体８０に対する相対位置が変化しないよう規制する役割を果たす。したがって、相対位置を規制するための部材を別途設ける必要がない。
【００４４】
続いて、図７を参照しながら、本発明の第２実施形態に係る洗面化粧台の構成を説明する。図７は、第２実施形態における台座７０の立壁１１への取付構造を示すための分解斜視図である。第２実施形態と第１実施形態の違いは、挿入体の構造のみである。他の構成については、第１実施形態と同一であるため、説明を省略する。第２実施形態における挿入体８５は、円筒部材を軸方向に２分割したような、２つの半割部材を接続して構成されている。より具体的には、断面が半円状の２つの半割部材（第１半割部材８５ａ、第２半割部材８５ｂ）を相対的に回動自在に接続して構成される。本実施形態においては、第１半割部材８５ａの周方向の先端部（左右の両端側）の略中央に設けられた一対の凸部８８から外方に延びる図示しない回転軸を、第２半割部材８５ｂの周方向の先端部（左右の両端側）の略中央の内面側に設けられた図示しない一対の窪み部（回転軸受け部）に嵌め込むことにより、第１半割部材８５ａおよび第２半割部材８５ｂを相対的に回動自在に接続している。
【００４５】
また、挿入体８５は、挿入体８０と同様、その一端側の外周面にネジ山部８６を有し、他端側に、外周面から外方に突出する当接部８７を周方向に沿って所定間隔で複数有している。
【００４６】
挿入体８５は、第１半割部材８５ａと第２半割部材８５ｂを相対的に回転させることにより、２つの状態をとることができる。より具体的には、挿入体８５は、当接部８７が挿入体８５とともに前面側から貫通孔１３に挿入可能な第１の状態と、挿入体８５が貫通孔１３に挿入された状態で当接部８７が立壁１１の背面に当接可能な第２の状態とに変形可能に構成されている。以下、挿入体８５について、より具体的に説明する。
【００４７】
図８は、第１の状態の挿入体８５を側方から見た断面図である。一方、図９は、第２の状態の挿入体８５を側方から見た断面図である。図８に示すように、挿入体８５の後方側（図８においては右側）を押圧することで（または、前方側の内周面を押し広げるようにすることで）、回転軸を中心として、第１半割部材８５ａと第２半割部材８５ｂを回動させ、第１半割部材８５ａの周方向の先端部における後方側と第２半割部材８５ｂの周方向の先端部における後方側を当接させることにより、挿入体８５を第１の状態にすることができる。第１の状態にすることにより、挿入体８５の後方側の外径を小さくすることができるため、後方側に当接部８７が設けられているとしても、当接部８７が立壁１１に当たることなく、挿入体８５を貫通孔１３に挿入することができる。
【００４８】
また、図９に示すように、挿入体８５の前方側（図９においては左側）を押圧することで、回転軸を中心として、第１半割部材８５ａと第２半割部材８５ｂを回動させ、第１半割部材８５ａの周方向の先端部における前方側と第２半割部材８５ｂの周方向の先端部における前方側を当接させることにより、挿入体８５を第２の状態にすることができる。第２の状態にすることにより、挿入体８５の後方側の外径を大きくすることができるため、当接部８７を、立壁１１の背面に当接させることができるようになる。
【００４９】
続いて、第２実施形態の台座７０の取付手順について、図７〜図９を参照しながら説明する。まず、図８のように、挿入体８５を第１の状態にし、挿入体８５を貫通孔１３に挿入する。挿入後、挿入体８５を第２の状態にして、当接部８７を立壁１１の背面に当接させる。この状態で、挿入体８５のうち、立壁１１より前方に臨出した部分（臨出部Ｒ２）が台座７０の孔７３を挿通するようにして、台座７０を立壁１１に当接するまで移動させる。そして、締付ナット７７のネジ山部７８を挿入体８５のネジ山部８６に螺合させ、締付ナット７５と当接部８７とで、台座７０の背壁７１および立壁１１を締め付け挟持することで、台座７０を立壁１１に対して固定する。このとき、締付ナット７７により挿入体８５の第２の状態が維持されるため、別途第２の状態を維持するための部材を設ける必要がなく、かつ、台座７０を長期に亘って安定的に第２の状態を維持することができる。なお、図１０は台座７０を立壁１１に対して固定した状態を示す斜視断面図である。第２実施形態に係る台座７０は、上述のようにして立壁１１へ取り付けられる。なお、第２実施形態に係る図においては、第１実施形態に係る図において示されていた、立壁１１壁の背面における、貫通孔１３周縁より後方側に突出する突出部１１ａについては図示を省略している。
【００５０】
続いて、図１１を参照しながら、本発明の第３実施形態に係る洗面化粧台の構成を説明する。図１１は、第３実施形態における台座７０の立壁１１への取付構造を示すための分解斜視図である。第３実施形態と第１および第２実施形態との違いは、挿入体および締め付けナットの構造である。他の構成については、第１実施形態および第２実施形態と同一であるため、説明を省略する。第３実施形態における挿入体９０は、筒状に形成された基部９１と、基部の後端側から後方側に延設された複数の脚部９２とを有する。基部９１と脚部９２は、樹脂により一体的に形成されており、脚部９２は可撓性および弾性を有している。また、基部９１の外周面には、ネジ山部９３が設けられている。（図１１では図示を省略している）
【００５１】
脚部９２において、基部９１とは反対側の先端（後端）には、外方に突出する当接部９４が設けられており、当接部９４の後面は、当接部９４の厚みが後方へいくにしたがって薄くなるよう、内方へ傾斜した傾斜面９５を有している。
【００５２】
一方、締付ナット９６は、内周面にネジ山部９７ａを有する環状部９７（固定部材）を有している。環状部９７の前端からは内方に接続部１００が延設され、接続部１００の内方側の端部からは、挿入部材９８が筒状に延設されている。なお、環状部９７のネジ山９７ａは基部９１の外周面に設けられたネジ山部９３に螺合させることができる。
【００５３】
続いて、第３実施形態の台座７０の取付手順について、図１２〜図１５を参照しながら説明する。図１２は、挿入体９０の脚部９２を貫通孔１３に挿入する直前の脚部９２の傾斜面９５を貫通孔１３の後方側から見た様子を示す模式図である。図１３は、挿入体９０の脚部９２を貫通孔１３に挿入し始めた際の様子を模式的に示す側面図である。図１４および図１５は、挿入体９０を立壁１１の貫通孔１３に挿入する際の様子を示す側断面図である。図１４は挿入体９０の挿入途中の様子を示しており、図１５は挿入後の様子を示すものである。
【００５４】
図１２に示すように、挿入体９０の複数の脚部９２の当接部９４は、挿入体９０を貫通孔１３に挿入する際、傾斜面９５が貫通孔１３の周縁の立壁１１に当接するよう設けられている。そして、傾斜面９５が当接した状態で、挿入体９０を貫通孔１３に押し込むことで、図１３に示すように、複数の傾斜面９５は、内方側に押される力を立壁１１から受け、この力によって、複数の脚部９２が内方側に曲がるよう弾性変形し、複数の脚部９２が内方側に絞られる。これにより、複数の当接部９４によって形成される挿入体９０の後端側の外径が小さくなるため、挿入体９０の脚部９２を貫通孔１３に挿入することができる。
【００５５】
複数の脚部９２は、基部９１の外周面よりも内方側から延設されているため、基部９１は、複数の脚部９２よりもやや外方に出っ張った、出っ張り部９９を有するように構成されている。したがって、挿入体９０を所定の長さ貫通孔１３に挿入すると、出っ張り部９９が、貫通孔１３の周縁の立壁１１に当接し、それ以上は挿入できないように構成されている。すなわち、出っ張り部９９がストッパーの役割を果たしている。なお、出っ張り部９９が立壁１１に当接した状態では、当接部９５は貫通孔１３から立壁１１の裏側まで移動しており、弾性変形していた脚部９２がもとの状態に戻るため、当接部９４は立壁１１の背面に当接可能な状態となる。このように複数の脚部９２が弾性変形することで、挿入体９０は、当接部９４が挿入体９０とともに前面側から貫通孔１３に挿入可能な第１の状態と、挿入体９０が貫通孔１３に挿入された状態で当接部９４が立壁１１の背面に当接可能な第２の状態とに変形可能に構成されている。
【００５６】
そして、出っ張り部９９が立壁１１に当接するまで当接部９４を貫通孔１３に挿入した後、挿入体９０のうち、立壁１１より前方に臨出した部分（臨出部Ｒ３）が台座７０の孔７３を挿通するようにして台座７０を立壁１１に当接するまで移動させる。そして、締め付けナット９６の挿入部材９８を複数の脚部９２の内方に挿入した後、ネジ山部９７ａと挿入体９０のネジ山９３とを螺合させ、締め付けナット９６の環状部９７と当接部９４とで、台座７０および立壁１１を締め付け挟持することで、台座７０を立壁１１に対して固定する。ここで、図１６は、台座７０を立壁１１に対して固定した状態を示す縦断面図である。図１６に示すように、台座７０および立壁１１を挟持した状態では、挿入部材９８の外周面に沿って脚部９２が延び、かつ、挿入部材９８の外周面と脚部９２が近接もしくは接触した状態となる。したがって、この挿入部材９８によって、挿入体９０の脚部９２の変形が抑えられ、挿入体９０の第２の状態を維持できるため、台座７０を立壁１１に長期に亘って安定的に取り付けることができる。また、環状部９７、挿入部材９８、および接続部１００は、一体に成形されているため、環状部９７は、挿入部材９８の挿入体９０に対する相対位置が変化しないように規制する役割を果たす。よって、相対位置を規制するための部材を別途設ける必要がなく、かつ、長期に亘って安定的に第２の状態を維持することができる。
【００５７】
以上、本発明は、各実施形態のように、挿入体の当接部と締め付けナットとで、台座７０および立壁１１を挟持することで、台座７０を立壁１１に対し固定している。これにより、立壁１１にネジ孔を開設する作業が不要となり、製造コストの増大を抑制することが可能となる。また、ネジを覆い隠すために吐水スパウト５０などの水栓を大型化させたり、カバー等の別個の部材を用意したりする必要もないため、意匠性が損なわれることもない。さらに、立壁１１に所定の大きさの貫通孔を設けておくだけで、使用者の好みに応じて、デザインや機能が異なる別の水栓に交換することも容易となる。また、台座７０に水栓を取り付けるようにすることで、水栓のメンテナンスの際に水栓のみを取り外せば良く、都度、台座７０を立壁１１へ着脱する必要がないため、メンテナンスの手間を低減させることができる。
【００５８】
なお、本実施形態においては、水栓６０の吐水スパウト５０を台座７０に取り付ける構成としたが、湯水混合栓４０を台座７０に取り付ける構成としても構わない。また、例えば、本発明における水栓には、吐水スパウト５０からの吐止水を制御するための電気的な操作手段（リモコンなど）も含まれるものであり、台座７０にはこのような手段を取り付けるものであっても構わない。
【符号の説明】
【００５９】
１：洗面化粧台
１０：カウンター
１１：立壁
１３：貫通孔
１５：周面
４０：湯水混合栓
５０：吐水スパウト
６０：水栓
６１：ネジ
７０：台座（水栓取付用台座）
７１：背壁
７２：周壁
７３：孔
７４：ネジ孔 
７５：締付ナット（固定部材）
７６：ネジ山部
７７：締付ナット（固定部材、状態維持手段）
７８：ネジ山部
８０：挿入体
８０ａ、８０ｂ：突起
８０ｃ：切欠部
８１：ネジ山部
８２：当接部
８３：切欠埋部材（状態維持手段）
８３ａ：厚肉部
８３ｂ：薄肉部
８３ｃ：ネジ山部
８５：挿入体
８５ａ：第１半割部材
８５ｂ：第２半割部材
８６：ネジ山部
８７：当接部
８８：凸部
９０：挿入体
９１：基部
９２：脚部
９３：ネジ山部
９４：当接部
９５：傾斜面
９６：締め付けナット
９７：環状部（固定部材）
９８：挿入部材（状態維持手段）
９９：出っ張り部
１００：接続部
Ｒ１、Ｒ２、Ｒ３：臨出部
【図１】
0006537013.tif 000002
【図２】
0006537013.tif 000003
【図３】
0006537013.tif 000004
【図４】
0006537013.tif 000005
【図５】
0006537013.tif 000006
【図６】
0006537013.tif 000007
【図７】
0006537013.tif 000008
【図８】
0006537013.tif 000009
【図９】
0006537013.tif 000010
【図１０】
0006537013.tif 000011
【図１１】
0006537013.tif 000012
【図１２】
0006537013.tif 000013
【図１３】
0006537013.tif 000014
【図１４】
0006537013.tif 000015
【図１５】
0006537013.tif 000016
【図１６】
0006537013.tif 000017